【手続補正書】
【提出日】平成31年2月8日(2019.2.8)
【手続補正１】
【補正対象書類名】特許請求の範囲
【補正対象項目名】全文
【補正方法】変更
【補正の内容】
【特許請求の範囲】
【請求項１】
その縦方向の長さに沿って溶融金属を受け入れて移送するための、溶融金属収納構造と、
その中に液体媒体を通過させるための冷却チャネルを含む、前記収納構造用の冷却ユニットと、
超音波が前記冷却チャネル内の前記液体媒体を介し、および前記溶融金属収納構造を介して、前記溶融金属中に加えられるように、前記冷却チャネル内に配置されたウルトラソニックプローブと、
を備える、溶融金属処理デバイス。
【請求項２】
前記収納構造が、前記溶融金属を収納する側壁と、前記溶融金属に接触する底プレートとを備え、
（ａ）前記底プレートが、ニオブ、またはニオブの合金の少なくとも一方を含み、または
（ｂ）前記底プレートがセラミックを含み、または
（ｃ）前記側壁および前記底プレートが、異なる材料のプレートを含む、
請求項１に記載のデバイス。
【請求項３】
前記ウルトラソニックプローブが、前記冷却チャネル内で、収納構造の上流端よりも前記収納構造の下流端に近く配置されている、請求項１に記載のデバイス。
【請求項４】
前記収納構造がニオブを含む、請求項１に記載のデバイス。
【請求項５】
前記収納構造が銅を含む、請求項１に記載のデバイス。
【請求項６】
前記収納構造が鋼合金を含む、請求項１に記載のデバイス。
【請求項７】
前記収納構造がセラミックを含む、請求項１に記載のデバイス。
【請求項８】
前記セラミックが、窒化ケイ素セラミックを含む、請求項２または７に記載のデバイス。
【請求項９】
前記窒化ケイ素セラミックが、サイアロンを含む、請求項８に記載のデバイス。
【請求項１０】
前記収納構造が、前記溶融金属の融点よりも高い融点を有する材料を含む、請求項１に記載のデバイス。
【請求項１１】
前記収納構造が、前記底プレートの材料と異なる材料を含む、請求項１に記載のデバイス。
【請求項１２】
前記収納構造が、前記溶融金属を鋳型の中に送出する構成を有する、下流端を有し、
（ａ）前記鋳型が、鋳造ホイール鋳型を含み、または
（ｂ）前記鋳型が、垂直鋳造鋳型を含み、または
（ｃ）前記鋳型が、固定式鋳型を含む、
請求項１に記載のデバイス。
【請求項１３】
前記収納構造が耐熱材料を含む、請求項１に記載のデバイス。
【請求項１４】
前記耐熱材料が、銅、ニオブ、ニオブおよびモリブデン、タンタル、タングステン、およびレニウム、ならびにそれらの合金の少なくとも１種を含む、請求項１３に記載のデバイス。
【請求項１５】
前記耐熱材料が鋼合金を含む、請求項１３に記載のデバイス。
【請求項１６】
溶融金属収納構造の縦方向の長さに沿って溶融金属を移送することと、
前記溶融金属収納構造に熱的に結合された冷却チャネルを通り媒体を通過させることによって、前記溶融金属収納構造を冷却することと、このことにより、前記チャンネルの底の過冷却が達成され、
超音波を、前記冷却チャネル内の前記媒体を介して、および前記溶融金属収納構造を介して、前記溶融金属中に加えることと
を含む、金属製品を形成する方法。
【請求項１７】
前記冷却チャネルが、前記冷却チャネルに隣接する前記溶融金属が下位液相線温度に到達するように、前記溶融金属を冷却する、請求項１に記載のデバイス。
【請求項１８】
サブミリメートル結晶粒径を有し、その中に０．５％未満の結晶粒微細化剤を含む、アルミニウム鋳造金属組成物を含む、アルミニウム製品。
【請求項１９】
溶融金属収納構造の縦方向の長さに沿って溶融金属を移送するための手段と、
前記溶融金属収納構造に熱的に結合された冷却チャネルを通り媒体を通過させることによって、前記溶融金属収納構造を冷却するための手段と、
超音波を、前記冷却チャネル内の前記媒体を介して、および前記溶融金属収納構造を介して、前記溶融金属中に加えるための手段と、
データ入力および制御出力を含むとともに、前記溶融金属を移送すること、前記溶融金属を冷却すること、および前記超音波を前記溶融金属中に加えること、の内の少なくとも１つを制御する、１つまたは複数の制御アルゴリズムでプログラムされている、コントローラとを備える、金属製品を形成するためのシステム。
【手続補正２】
【補正対象書類名】明細書
【補正対象項目名】０１１８
【補正方法】変更
【補正の内容】
【０１１８】
上記の教示に照らせば、本発明の多数の修正形態および変形形態が可能である。したがって、添付の特許請求項の範囲内において、本発明は、本明細書において具体的に記載されたのと異なる方法で実施されてもよいことが理解されるべきである。
ここに、出願当初の特許請求の範囲の記載事項を付記する。
［１］  その縦方向の長さに沿って溶融金属を受け入れて移送するための、溶融金属収納構造と、
その中に液体媒体を通過させるための冷却チャネルを含む、前記収納構造用の冷却ユニットと、
超音波が前記冷却チャネル内の前記液体媒体を介し、および前記溶融金属収納構造を介して、前記溶融金属中に加えられるように、前記冷却チャネルに対して配置されたウルトラソニックプローブと、
を備える、溶融金属処理デバイス。
［２］  前記冷却チャネルが、前記冷却チャネルに隣接する前記溶融金属が下位液相線温度に到達するように、前記溶融金属を冷却する、［１］に記載のデバイス。
［３］  前記収納構造が、前記溶融金属を収納する側壁と、前記溶融金属に接触する底プレートとを備える、［１］に記載のデバイス。
［４］  前記底プレートが、ニオブ、またはニオブの合金の少なくとも一方を含む、［３］に記載のデバイス。
［５］  前記底プレートがセラミックを含む、［３］に記載のデバイス。
［６］  前記セラミックが、窒化ケイ素セラミックを含む、［５］に記載のデバイス。
［７］  前記窒化ケイ素セラミックが、サイアロンを含む、［６］に記載のデバイス。
［８］  前記側壁および前記底プレートが、異なる材料の異なるプレートを含む、［３］に記載のデバイス。
［９］  前記ウルトラソニックプローブが、前記冷却チャネル内で、接触構造の上流端よりも前記接触構造の下流端に近く配置されている、［１］に記載のデバイス。
［１０］  前記収納構造がニオブ構造を含む、［１］に記載のデバイス。
［１１］  前記収納構造が銅構造を含む、［１］に記載のデバイス。
［１２］  前記収納構造が鋼構造を含む、［１］に記載のデバイス。
［１３］  前記収納構造がセラミックを含む、［１］に記載のデバイス。
［１４］  前記セラミックが、窒化ケイ素セラミックを含む、［１３］に記載のデバイス。
［１５］  前記窒化ケイ素セラミックがサイアロンを含む、［１４］に記載のデバイス。
［１６］  前記収納構造が、前記溶融金属の融点よりも高い融点を有する材料を含む、［１］に記載のデバイス。
［１７］  前記収納構造が、支持体の材料と異なる材料を含む、［１］に記載のデバイス。
［１８］  前記収納構造が、核生成部位を有する前記溶融金属を鋳型の中に送出する構成を有する、下流端を有する、［１］に記載のデバイス。
［１９］  前記鋳型が、鋳造ホイール鋳型を含む、［１８］に記載のデバイス。
［２０］  前記鋳型が、垂直鋳造鋳型を含む、［１８］に記載のデバイス。
［２１］  前記鋳型が、固定式鋳型を含む、［１８］に記載のデバイス。
［２２］  前記収納構造が耐熱材料を含む、［１］に記載のデバイス。
［２３］  前記耐熱材料が、銅、ニオブ、ニオブおよびモリブデン、タンタル、タングステン、およびレニウム、ならびにそれらの合金の少なくとも１種を含む、［２２］に記載のデバイス。
［２４］  前記耐熱材料が、ケイ素、酸素、または窒素の１種または複数種を含む、［２３］に記載のデバイス。
［２５］  前記耐熱材料が鋼合金を含む、［２４］に記載のデバイス。
［２６］  前記ウルトラソニックプローブが、５から４０ｋＨｚの間の動作周波数を有する、［１］に記載のデバイス。
［２７］  溶融金属収納構造の縦方向の長さに沿って溶融金属を移送することと、
前記溶融金属収納構造に熱的に結合された冷却チャネルを通り媒体を通過させることによって、前記溶融金属収納構造を冷却することと、
超音波を、前記冷却チャネル内の前記媒体を介して、および前記溶融金属収納構造を介して、前記溶融金属中に加えることと
を含む、金属製品を形成する方法。
［２８］  ［１］の溶融金属処理デバイスと、
データ入力および制御出力を含むとともに、前記溶融金属を移送すること、前記溶融金属を冷却すること、および前記超音波を前記溶融金属中に加えること、の内の少なくとも１つを制御する、１つまたは複数の制御アルゴリズムでプログラムされている、コントローラと
を備える、金属製品を形成するシステム。
［２９］  サブミリメートル結晶粒径を有し、その中に０．５％未満の結晶粒微細化剤を含む、アルミニウム鋳造金属組成物を含む、アルミニウム製品。
［３０］  溶融金属収納構造の縦方向の長さに沿って溶融金属を移送するための手段と、
前記溶融金属収納構造に熱的に結合された冷却チャネルを通り媒体を通過させることによって、前記溶融金属収納構造を冷却するための手段と、
超音波を、前記冷却チャネル内の前記媒体を介して、および前記溶融金属収納構造を介して、前記溶融金属中に加えるための手段と、
データ入力および制御出力を含むとともに、前記溶融金属を移送すること、前記溶融金属を冷却すること、および前記超音波を前記溶融金属中に加えること、の内の少なくとも１つを制御する、１つまたは複数の制御アルゴリズムでプログラムされている、コントローラとを備える、金属製品を形成するためのシステム。